(57)【要約】【課題】下部に軸線方向に沿って緊張材が配置されている木製の梁の端部を支持するように被接合部材と接合するとともに、緊張材が配置された位置で梁の軸線方向の割れを抑制する。【解決手段】被接合梁２のほぼ鉛直な面に梁受け金物３が固定されており、該梁受け金物に木製の梁１の端部が結合されている。梁には、下縁に沿って軸線方向に緊張材５が配置され、端部には該緊張材の両側で梁の側面に沿った方向のスリット１４が設けられている。梁受け金物は、被接合梁の側面に当接して固定される固定基部３１と、該固定基部からほぼ直角となる方向に張り出した２つの張り出し板部３２とを有し、張り出し板部はスリットに挿入された状態で梁に結合されている。張り出し板部は、固定基部が被接合梁に固定された位置より下方に伸長され、下端付近の水平部３８は梁の下面より露出して緊張材が配置された位置の下側で該梁の下面に当接されている。【選択図】図２
2017115557.tif 000002
【特許請求の範囲】
【請求項１】
被接合部材のほぼ鉛直な面に梁受け金物が固定され、該梁受け金物に木製の梁の端部が結合されている梁の接合構造であって、
前記梁には、該梁の下縁に沿って該梁の軸線方向に緊張材が配置され、該緊張材は緊張力が導入された状態で該梁の端部で定着されるとともに、該梁の側面に沿った方向で前記緊張材の両側にスリットが設けられ、
前記梁受け金物は、前記被接合部材のほぼ鉛直な面に当接して固定される固定基部と、該固定基部の鉛直方向となった２つの側縁からそれぞれ該固定基部とほぼ直角となる方向に張り出した２つの張り出し板部とを有するものであり、
前記固定基部が、前記緊張材が前記梁に定着された位置より高い位置で前記被接合部材に固定され、
前記張り出し板部が、前記スリットに挿入された状態で該梁に結合され、
該張り出し板部は、前記固定基部が前記被接合部材に固定された位置より下方に伸長されており、下端部は前記梁の下面より露出して前記緊張材が配置された位置の下側で該梁の下面に当接されていることを特徴とする梁の接合構造。
【請求項２】
前記梁は、端面における高さ方向の上部が前記被接合部材のほぼ鉛直な面に当接される当接部となっており、高さ方向の下部には該梁の端面が軸線方向に後退するように切り欠きが設けられ、
該切り欠きは、該切り欠き内から前記緊張材に緊張力を付与することが可能な形状及び寸法となっており、
前記張り出し板部の下方に伸長された部分は、前記梁に前記切り欠きが設けられた範囲より該梁の支間の中央側まで張り出した位置で該梁の下面に当接されていることを特徴とする請求項１に記載の梁の接合構造。
【請求項３】
２つの前記張り出し板部の下端部は、前記梁の下面より露出した位置で互いに対向する方向に折り曲げられ、互いに分離していることを特徴とする請求項１又は請求項２に記載の梁の接合構造。
【請求項４】
木製の梁の端部が接合される被接合部材のほぼ鉛直な面に当接して固定される固定基部と、
該固定基部の鉛直方向となった２つの側縁からそれぞれ該固定基部とほぼ直角となる方向に張り出し、前記梁に結合される２つの張り出し板部とを有し、
前記張り出し板部は、前記固定基部が前記被接合部材に固定される位置より下方に伸長され、前記梁の下部に該梁の軸線方向に沿って配置された緊張材の両側方を通って、下端部は前記緊張材が配置された位置の下側で該梁の下面に当接されるものであることを特徴とする梁受け金物。
【発明の詳細な説明】
【技術分野】
【０００１】
本発明は、木製の梁を他の梁又は柱等の構造部材に接合する接合構造及びこの接合構造で用いることができる梁受け金物に関するものである。
【背景技術】
【０００２】
木造建築物において、床等を支持する梁のたわみや振動を抑制するために、上下方向の寸法つまり梁せいが大きい木製の梁を用いることが多くなっている。これらの梁の端部を他の梁又は柱に接合して支持する構造としては、梁受け金物を用いるものが多く提案されており、例えば特許文献１に記載されるものがある。この接合構造は、木製の柱の側面に梁受け金物に相当する横架材接合用金具を固定し、この横架材接合用金具が備える横架材取付け部片に横架材を取り付けるものである。横架材取付け部片は横架材の軸線方向に突き出した板状の部材であり、横架材の側面から該横架材を貫通するように差し入れられるピンによって横架材が横架材取付け部片に取り付けられるものとなっている。
【０００３】
一方、支間が大きな梁では梁せいを大きくするとともに、梁の下部に緊張材を配置してプレストレスを導入することが、例えば特許文献２に記載されている。緊張材の端部は緊張力を導入した状態で木質部材である梁に定着されており、梁端の下部には切り欠きを設け、切り欠き内からの操作で緊張材に緊張力を導入することが記載されている。
【先行技術文献】
【特許文献】
【０００４】
【特許文献１】特開２００１−２７１４２６号公報
【特許文献２】特開２０１３−１８９７６３号公報
【発明の概要】
【発明が解決しようとする課題】
【０００５】
梁の軸線方向に沿って緊張材を配置し、緊張力を導入して梁にプレストレスと付与するとき、緊張材を梁の端部で定着すると、緊張材の定着具から作用する力によって梁には緊張材の軸線と直角方向の引張力が生じる。緊張材が定着される木質部材である梁は、一般に木目が軸線方向にとおっており、上記引張力によって割裂が生じ易くなる。
また、緊張材が梁端で定着されると梁の上部で梁受け金物に支持される。このように支持される梁の端部付近では、梁上に荷重等が作用したときのせん断力によって斜引張力が作用し、緊張材が定着された位置付近での割裂の発生を助長する虞がある。
【０００６】
本発明は、上記のような事情に鑑みてなされたものであり、その目的は、木製の梁を梁受け金物によって強固に支持するとともに、下部に軸線方向の緊張材が配置された梁の割裂を抑制することができる梁の接合構造及びこのような接合構造で用いることができる梁受け金物を提供することである。
【課題を解決するための手段】
【０００７】
上記課題を解決するために、請求項１に係る発明は、  被接合部材のほぼ鉛直な面に梁受け金物が固定され、該梁受け金物に木製の梁の端部が結合されている梁の接合構造であって、  前記梁には、該梁の下縁に沿って該梁の軸線方向に緊張材が配置され、該緊張材は緊張力が導入された状態で該梁の端部で定着されるとともに、該梁の側面に沿った方向で前記緊張材の両側にスリットが設けられ、  前記梁受け金物は、前記被接合部材のほぼ鉛直な面に当接して固定される固定基部と、該固定基部の鉛直方向となった２つの側縁からそれぞれ該固定基部とほぼ直角となる方向に張り出した２つの張り出し板部とを有するものであり、  前記固定基部が、前記緊張材が前記梁に定着された位置より高い位置で前記被接合部材に固定され、  前記張り出し板部が、前記スリットに挿入された状態で該梁に結合され、  該張り出し板部は、前記固定基部が前記被接合部材に固定された位置より下方に伸長されており、下端部は前記梁の下面より露出して前記緊張材が配置された位置の下側で該梁の下面に当接されている梁の接合構造を提供する。
【０００８】
この梁の接合構造では、緊張力が導入された緊張材が梁に定着されることによって梁には軸線方向の圧縮力が作用し、これとともに梁に割裂を生じさせる方向の力すなわち上下方向の引張力が発生する。また、梁の端部にはせん断力によって斜め引張応力が作用する。これにより、梁には水平方向の割れが生じる虞があるが、張り出し板部によって緊張材が配置された位置が下側から支持され、梁の軸線方向の割れが抑制される。つまり張り出し板部は、緊張材が配置された位置より高い位置で固定された固定基部に支持されるとともに、張り出し板部の下方に伸長された部分を緊張材が配置された位置の下側に当接して梁を下側から吊り上げるように支持するものとなる。したがって、張り出し板部の下方に伸長された部分に引張力が作用するとともに梁の緊張材が配置された部分には上下方向に圧縮する方向の力が作用する。これにより緊張材が配置された位置における梁の上下方向の引張力を相殺するように作用して梁の軸線方向の割れが抑制される。
また、梁の端部は張り出し板部に結合されることによって固定基部を介して被接合部材に支持される。そして、張り出し板部が梁に設けられたスリット内に挿入された状態で梁に結合されていることによって梁受け金物が梁の側面に露出することがなく、梁の側面を室内に露出するときにも良好な仕上がりとすることができる。また、内装を施すときにも壁下地材等の取り付けが容易となる。
【０００９】
請求項２に係る発明は、請求項１に記載の梁の接合構造において、  前記梁は、端面における高さ方向の上部が前記被接合部材のほぼ鉛直な面に当接される当接部となっており、高さ方向の下部には該梁の端面が軸線方向に後退するように切り欠きが設けられ、  該切り欠きは、該切り欠き内から前記緊張材に緊張力を付与することが可能な形状及び寸法となっており、  前記張り出し板部の下方に伸長された部分は、前記梁に前記切り欠きが設けられた範囲より該梁の支間の中央側まで張り出した位置で該梁の下面に当接されているものとする。
【００１０】
この梁の接合構造では、梁受け金物の張り出し板部は切り欠きよりも梁の支間中央側まで張り出して梁の下面に当接されるので、梁を被接合部材に接合した後にも緊張力を導入又は解放する作業を阻害することはない。したがって、切り欠き内から緊張材の緊張力を導入し、又は追加導入や導入された緊張力の一部解放等を行うことができる。そして、切り欠き内から緊張力の導入等が可能に配置された緊張材の周囲を囲うように拘束して、梁に割れが生じるのを抑制することができる。
【００１１】
請求項３に係る発明は、請求項１又は請求項２に記載の梁の接合構造において、  ２つの前記張り出し板部の下端部は、前記梁の下面より露出した位置で互いに対向する方向に折り曲げられ、互いに分離しているものとする。
【００１２】
この梁の接合構造では、張り出し板部は梁に形成されたスリット内に差し入れられており、スリット内では曲げ変形が拘束されるので、折り曲げられた部分に梁の下面から鉛直方向の力が作用しても変形が生じにくい。したがって、梁の緊張材が配置されている部分を有効に拘束することができる。そして、梁受け金物の加工が容易になるとともに、梁に形成されたスリットに挿入して梁受け金物で梁を支持するように接合するときの作業性が良好なものとなる。
【００１３】
請求項４に係る発明は、  木製の梁の端部が接合される被接合部材のほぼ鉛直な面に当接して固定される固定基部と、  該固定基部の鉛直方向となった２つの側縁からそれぞれ該固定基部とほぼ直角となる方向に張り出し、前記梁に結合される２つの張り出し板部とを有し、  前記張り出し板部は、前記固定基部が前記被接合部材に固定される位置より下方に伸長され、前記梁の下部に該梁の軸線方向に沿って配置された緊張材の両側方を通って、下端部は前記緊張材が配置された位置の下側で該梁の下面に当接されるものである梁受け金物を提供するものである。
【００１４】
この梁受け金物では、下部に軸線方向に沿って緊張材が配置されている梁の端部を支持し、該梁を被接合部材と接合することができる。そして、張り出し板部を緊張材の配置位置の下側で梁の下面に当接するとともに、緊張材が配置された位置より高い位置で固定基部が被接合部材に固定されるので、梁の下部における緊張材が配置された位置付近を下側から支えるように拘束することができる。これにより緊張材が配置された位置で梁の上下方向の引張力を相殺するように圧縮力を付与し、梁の軸線方向の割れを抑制するものとなる。
【発明の効果】
【００１５】
以上説明したように、本発明の梁の接合構造及び本発明の梁受け金物を用いた梁の接合構造では、下部に軸線方向に沿って緊張材が配置されている梁の端部を支持するように被接合部材と接合することができるとともに、緊張材が配置された位置で梁の軸線方向の割れを抑制することができる。
【図面の簡単な説明】
【００１６】
【図１】本発明の一実施形態である梁の接合構造を示す概略斜視図及び分解斜視図である。
【図２】図１に示す梁の接合構造の立断面図である。
【図３】図１に示す梁の接合構造の平断面図である。
【図４】図１に示す梁の接合構造で接合される梁の加工状態を示す上面図、側面図、底面図及び正面図である。
【図５】図４に示す梁にプレストレスを導入するための緊張材及び緊張材の定着具を示す概略図である。
【図６】図１に示す梁の接合構造で用いられる梁受け金物の平面図、正面図、側面図及び背面図である。
【図７】本発明の他の実施形態である梁の接合構造を示す概略斜視図である。
【図８】図７に示す梁の接合構造の概略断面図である。
【図９】本発明の他の実施形態である梁の接合構造を示す概略断面図である。
【発明を実施するための形態】
【００１７】
以下、本発明の実施の形態を図に基づいて説明する。
図１は、本発明の一実施形態である梁の接合構造を示す概略斜視図及び分解斜視図である。また、図２は、図１に示す梁の接合構造の立断面図であって、図２（ａ）は接合する梁の軸線方向の立断面図、図２（ｂ）は図２（ａ）中に示すＢ−Ｂ線における立断面図であり、図３は、図２中に示すＣ−Ｃ線における平断面図である。
この梁の接合構造は、木製の梁１を他の木製の梁である被接合梁２の側面に、端面を突き当て、双方の梁の上面がほぼ同じ高さとなるように接合するものである。被接合梁２の側面には複数のボルト４によって梁受け金物３が固定され、接合する梁１の端部が上記梁受け金物３に支持される。なお、接合する梁１の他の端部の支持構造、被接合梁２を支持する構造は、柱に支持される構造、他の梁に支持される構造、柱とともにラーメン構造を構成する構造等、様々な支持構造とすることができる。
【００１８】
上記梁１は、幅よりも高さ方向の寸法つまり梁せいが大きい扁平な断面を有するものであり、複数の木部材を張り合わせて形成された集成材となっている。また、被接合梁２も梁せいが梁幅より大きい扁平な断面となった木質の集成材であるが、梁せいは接合する梁１よりも小さいものが用いられている。
【００１９】
上記梁１は、下縁付近に緊張材５を配置してプレストレスが導入されたものであり、緊張材５を定着するため及びこの梁１を被接合梁２に梁受け金物３を用いて接合するために、図４に示すように加工が施されたものとなっている。
この図に示されるように、梁の端部には端面１１から梁の下面１２にかけて切り欠き１３が設けられている。つまり、梁１の端面１１は上縁から被接合梁２の梁せいとほぼ同じ寸法の範囲がほぼ鉛直となって被接合梁２の側面と対向する当接部となっている。そして、この当接部の下側は、端面１１が梁１の支間中央側へ後退するように切り欠きが設けられており、切り欠かれた部分の内面は湾曲した形状となっている。
【００２０】
梁１の端面からは該梁１の支間中央側に向かって、該梁の側面とほぼ平行に２つのスリット１４が形成されている。これらのスリット１４は梁の幅方向に所定の間隔で、緊張材が配置される位置の両側に設けられている。そして、梁１の軸線方向には上部の所定範囲でスリット１４がほぼ同じ深さとなっており、下部の所定範囲では支間の中央側にスリット１４の深さが増大してスリット１４の形成範囲が支間の中央側に拡大している。
二つのスリット１４の間の端面１１ａは、スリット１４と側面との間の端面１１ｂより支間の中央側にやや後退しており、スリット１４と側面との間の端面１１ｂが被接合梁２の側面に当接されたときに、スリット１４間の端面１１ａと被接合梁２の側面との間に梁受け金物３の一部が納まるようになっている。
また、梁１には、スリット１４が形成された範囲内で梁１の一方の側面から反対側の側面にほぼ水平に貫通する複数の横孔１５が形成されており、この横孔１５にはピン２１が押し入れられる。上記スリット１４内には後述する梁受け金物３の張り出し板部３２が挿入され、上記ピン２１が上記張り出し板部３２に係止されて梁１が梁受け金物３に支持されるものとなっている。
【００２１】
また、この梁１の下部には緊張材５を配置するための加工が施されている。梁１の端部に設けられた切り欠き１３内の２つのスリット１４の間から軸線方向に断面が円形となる第１の穴１６が形成され、さらにその底部から該第１の穴１６より内径が小さくて断面がほぼ円形の第２の穴１７が形成されている。第１の穴１６は、梁１の下部に配置した緊張材５の定着部が露出するように形成されたものであり、緊張材５にジャッキ等の装置を装着して緊張力を導入することができる寸法を有するものである。第２の穴１７は、図５に示すように定着具として用いられるスクリュー部材２２がねじ込まれるものであり、スクリュー部材２２の長さとほぼ対応するように形成されている。そして、周面にはスクリュー部材２２の螺旋状の張り出し部が係合される溝（図示しない）が形成されている。
第２の穴１７が形成された範囲より該梁の支間中央側には、梁の下面へ開放された軸線方向の溝１８が形成されており、この溝１８は切り欠き１３内から軸線方向に形成された第２の穴１７と連通するものである。
【００２２】
このように加工された木製の梁には、図５に示すように緊張材５が配置され、プレストレスが導入される。
緊張材５は、鋼棒が用いられており、端部付近の外周面には雄ねじ５ａが形成されており、ナット２３をねじり合せることができるものである。スクリュー部材２２は、円筒状の本体部の外周面に螺旋状の張り出し部が形成されたものであり、梁１に形成された第２の穴１７にねじ込むことができるものである。ねじ込まれたスクリュー部材２２の螺旋状の張り出し部が第２の穴１７の内周面に形成された螺旋状の溝内にねじ入れられ、木質材からなる梁１に固定される。なお、スクリュー部材２２の端面には、梁１にねじ込むときに工具等を係合させることができるように複数の凹部が形成されている。
【００２３】
スクリュー部材２２の本体部には軸線方向の中空孔が形成されており、この中空孔に緊張材５を挿通させることができるものとなっている。緊張材５は上記溝１８内から第２の穴１７にねじ込まれたスクリュー部材の中空孔に挿通して梁１の端部に突き出し、この緊張材５の端部にプレート２４及びナット２３を装着することができる。緊張材５に緊張力が導入された状態で上記ナット２３を締め付けることにより、プレート２４を介してナット２３からスクリュー部材２２に緊張力が伝達され、さらにスクリュー部材２２の周面が木質材からなる梁１に固定されていることによって緊張材５が梁１に定着されるものである。なお、緊張材２２の端部にはナット２３に重ねて袋ナット２５がねじり合わされ、ナット２３に締め付けられる。これによりナット２３の緩みを防止するとともに、緊張材５を保護するものとなっている。
【００２４】
図６は、被接合梁２の側面に固定される梁受け金物３の平面図、正面図、側面図及び背面図である。
この梁受け金物３は、木製の被接合梁２の側面に当接される固定基部３１とこの固定基部３１の鉛直方向の両側縁から平行に張り出した二つの張り出し板部３２とを有するものである。この梁受け金物３は、鋼板を曲げ加工して形成されたものであり、鋼板の厚さは、被接合梁２に固定されて梁１を支持したときに過度の変形が生じない程度の厚さを備えるものとなっている。
【００２５】
上記固定基部３１には、この梁受け金物３を木製の被接合梁２に固定するためのボルト４を挿通する複数のボルト孔３３が設けられている。また、このボルト孔３３の周囲は、図２又は図３に示すように取り付けられる被接合梁側に突き出した凸状部３４となっている。これらの凸状部はプレス加工によって形成されたものであり、被接合梁２に設けられた凹部２ａ内に嵌め入れることができるものとなっている。
上記張り出し板部３２には、接合しようとする梁１を梁受け金物３に結合するためのピン２１が挿通される複数のピン孔３５が設けられ、上端にはピン２１が係止される切り欠き３６が設けられている。
【００２６】
上記張り出し板部３２は、固定基部３１が被接合梁２に固定される位置より下方に伸長されるとともに、この部分３７は梁１の支間中央側つまり固定基部３１からの張り出し長を拡大する方向に突き出している。そして、先端には水平方向に曲折された水平部３８を有するものとなっており、張り出し板部３１が梁１に結合されたときに水平部３８が梁１の下面に当接されるものとなっている。
【００２７】
上記梁受け金物３は、図１（ｂ）に示されるように被接合梁２の上記梁受け金物３が固定される位置に設けられた凹部２ａに、梁受け金物の凸状部３４を嵌めいれるようにして固定される。被接合梁２には凹部２ａの底から被接合梁２を水平方向に貫通する横孔が穿設されており、被接合梁２の凹部２ａが形成された側面の反対側から横孔に挿入されたボルト４が固定基部３１のボルト孔３３に挿通されている。そして、二つの張り出し板部３２の間からボルト４にナット６をねじり合せ、締め付けることによって梁受け金物３が木製の被接合梁２の側面に固着されている。上記ナット６は、プレス加工によって固定基部３１に凸状部３４を設けることにともなって凹状となった部分つまり固定基部３１の梁１と接合される側の凹状部内に収容されるようになっている。
なお、本実施の形態では、ナット６として皿状の板バネがついたナットが用いられているが、その他のナットを用いることもでき、ゆるみ止め手段を有するものが望ましい。
【００２８】
上記のように被接合梁２に固定された梁受け金物３を介して支持される梁１は、図１（ｂ）に示すように、スリット１４に梁受け金物の張り出し板部３２が挿入された状態で支持される。梁１の側面からはピン２１が横孔１５に挿入され、張り出し板部３２のピン孔３５を貫通することによって梁１は梁受け金物３と結合される。このとき張り出し板部３２の下方に伸長された部分３７は、図２に示すようにスリット１４内で梁１の軸線方向における支間中央側へ斜め下方に張り出している。この下方へ張り出した部分３７は、切り欠き１３が設けられた範囲を支間中央側に回避して緊張材５及びスクリュー部材２２が配置された位置の両側部に至り、さらに切り欠き１３が設けられた範囲より梁１の支間中央側でスリット１４から梁１の下側に露出する。露出した下端部は緊張材５が配置された位置の下側つまり２つの張り出し板部３２が互いに対向する側に曲折され、ほぼ水平となった水平部３８が梁１の下面に当接されている。双方の張り出し板部３２の先端部に設けられた水平部３８の先端面は間隔を空けて対向している。
【００２９】
このような梁の接合構造では、梁１の端部は複数のピン２１を介して梁受け金物３の張り出し板部３２に支持されるとともに、張り出し板部３２の下方に伸長された部分３７によって梁１の下面で支持される。つまり、梁１の端部に作用するせん断力はピン２１から張り出し板部３２を介して固定基部３１に伝達されるとともに、張り出し板部３２の下方に伸長された部分３７からも固定基部３１に伝達される。そして固定基部３１からボルト４を介して被接合梁２に伝えられる。このとき、張り出し板部３２の下方に伸長された部分３７には引張力が作用するとともに、梁１を下面から支えることによって梁１には上下方向に圧縮力が作用する。これにより、梁１の端部における斜引張力や緊張材５が配置されて梁１の端部に定着されることによる割裂力よって梁１に割れが生じるのが抑制される。
【００３０】
なお、上記梁１を梁受け金物３が固定された被接合梁２に接合するときには、梁１に予め緊張材５を配置しておくとともに、緊張力を導入しておくことができる。そして、最上位に形成された横孔１５ａにピン２１ａを差し入れた状態で吊り上げ、被接合梁２と接合される位置の上方から梁受け金物３の張り出し板部３２がスリット１４に入り込むようにゆっくりと下降させる。最上位の横孔１５ａに挿入されたピン２１ａは、図２（ａ）に示すように張り出し板部３２の上端に形成された切り欠き３６に係止されるとともに、梁１の下面は梁受け金物３の水平部３８に当接された状態で梁１は仮支持される。この状態で、他のピン２１を横孔１５に差し入れることによって梁１が梁受け金物３を介して被接合梁２に結合される。また、梁１を被接合梁２に接合した後に、切り欠き１３内からジャッキ等を装着して緊張材５に追加の緊張力を導入すること又は一部を解放することができ、緊張力の調整が可能となっている。
【００３１】
以上に説明した梁の接合構造は、被接合梁２の側面に梁１の端面を突き当てるように接合するものであるが、図７に示すように被接合梁４２の端面に梁４１の端面を突き当てるように接合することもできる。
この梁の接合構造では、被接合梁４２が柱４３の上に支持されている。つまり柱４３の上端面と被接合梁４２の下面とを当接して接合されたものである。柱４３の断面は被接合梁４２の軸線方向の寸法が被接合梁４２の幅方向より大きくなった扁平な矩形となっている。そして該柱４３の断面の長辺方向の両端部には切り欠き４３ａが設けられ、この切り欠き４３ａ内からは図８に示すように該柱４３の軸線方向にスクリュー部材４４がねじ込まれている。また、被接合梁４２の、これらのスクリュー部材４４がねじ込まれた位置と対応する位置には、上下方向にスクリュー部材４５がねじ込まれており、被接合梁４２にねじ込まれたスクリュー部材４５と柱にねじ込まれたスクリュー部材４４とを接合金具４６を介して接続することによって被接合梁４２と柱４３とが接合されている。したがって、被接合梁４２と柱４３との間では曲げモーメントの伝達が可能となっており、これらがラーメン構造体を形成している。なお、上記スクリュー部材４４，４５は、例えば端面から軸線方向にねじ穴が形成されたものを用いることができ、これらのねじ穴にねじ込まれるボルト４７ａ，４７ｂによって接合金具４６と接合することができるものである。
【００３２】
この被接合梁４２に接合する梁４１は、下部に緊張材４８が配置されたものであり、被接合梁４２よりも梁せいが大きいものであって、図１から図５までに示すものと同じものである。この梁４１の端面を被接合梁４２の端面に固定された梁受け金物５０を介して被接合梁４２に接合されている。梁受け金物５０は図６に示すものと同じものが用いられており、梁４１は図１から図５までに示す実施の形態と同様に梁受け金物５０に結合されている。
【００３３】
この実施の形態で梁受け金物５０は、図８に示すように被接合梁４２の端部において柱４３と接合するためにねじ込まれたスクリュー部材４５を利用して被接合梁４２の端面に固定されている。被接合梁４２の端部にねじ込まれたスクリュー部材４５は、端面から軸線方向にねじ穴が形成されるとともに、周面に該スクリュー部材４５の軸線と直角方向のねじ孔が設けられている。梁受け金物４２を固定するボルト４９は固定基部５１のボルト孔に挿通されるとともに、上記スクリュー部材４５に形成されているねじ孔にねじ込んで梁受け金物５０を被接合梁４２に固定するものとなっている。
【００３４】
このような接合構造でも、梁４１の端部が被接合梁４２に梁受け金物５０を介して接合され、梁４１に作用するせん断力が被接合梁４２に伝達される。そして、張り出し板部５２の下方に伸長された部分５３が梁４１を下面で支持することによって、梁４１の端部における斜引張力やスクリュー部材４８を介して緊張材が梁の端部に定着されることによる割裂力で梁４１に割れが生じるのが抑制される。
また、被接合梁４２は柱４３とともにラーメン構造体を形成しており、単純支持された梁に比べて端部のたわみ角が小さくなる。したがって、梁４１と接合したときの相対的なたわみ角の変動が小さくなり、梁４１と被接合梁４２が安定した状態で接合されるものとなる。
【００３５】
図９は、本発明の他の実施形態である梁の接合構造を示す概略断面図である。
この梁の接合構造は、図１から図５までに示す実施の形態で接合される梁１よりも梁せいの大きい梁６１を被接合梁６２に接合するものとなっている。このように梁せいが大きい梁６１は、大きな曲げモーメント及びせん断力に耐え得るものであり、これに対応して梁受け金物６３を被接合梁６２に固定するボルト６８の本数を増加している。被接合梁６２は梁６１より梁せいが小さくなっており、梁６１を被接合梁６２の側面における高さ方向の全域に当接するように接合するものである。この接合構造でも梁受け金物６３の張り出し板部６５は、固定基部６４が被接合梁６２に固定される位置よりも下方に伸長された部分６６が設けられている。そして、先端付近の水平部６７が梁６１の下面に当接され、緊張材６９及びスクリュー部材７０が配置された位置の下側で梁６１の下面を支えるものとなっている。これにより、大きなせん断力が作用する梁６１の斜引張力や緊張材が配置されることによる割れを抑制するものとなる。
【００３６】
以上に説明した梁の接合構造では、被接合部材が木製の被接合梁であって、この被接合梁の梁せいが該被接合梁に接合する梁よりも小さくなっており、梁の被接合梁に当接される当接部を該被接合梁の側面又は端面の高さ方向の全域に突き当てて接合されている。このような接合構造では、接合しようとする梁の高さが被接合梁より大きいために、接合しようとする梁の下部が被接合梁の下端より下方にあるが、張り出し板部の下部が梁の下面に当接されて梁を下側から支持するものとなり、せん断力が梁から被接合梁に円滑に作用するものとなる。
一方、被接合部材である木製の被接合梁の梁せいが、該被接合梁に接合する梁の梁せいよりも大きくなっているものとし、梁の被接合梁に当接される当接部を該被接合梁の側面又は端面の高さ方向の一部に突き当て、被接合梁とこれに接合する梁の上縁をほぼ同じ高さにして接合することもできる。このような接合構造では、梁の下端部に切り欠きを設け、該切り欠き内から緊張材に緊張力を付与することが可能とすることにより、梁を梁せいの大きい被接合梁に接合した後にも緊張力の追加導入や緊張力の一部解放等が可能となり、緊張力を調整することができる。
【００３７】
また、以上に説明した梁の接合構造及び梁受け金物は、本発明の実施の形態であって本発明は上記の実施の形態に限定されるものではなく、本発明の範囲内で各部材の形状、寸法等を変更し、他の態様で実施をすることができる。
例えば、上記実施の形態では梁を他の梁に接合するものであるが、柱の側面に接合することができるし、木質材の梁や柱に限定されず、梁受け金物を強固に固定することができるものであれば、鋼やコンクリートで形成された構造部材であってもよい。
一方、接合する梁については端部に切欠きを設けず、緊張材はほぼ鉛直となった梁の端面から突き出すことなく定着することができる。そして、梁受け金物の張り出し板部は下方に伸長されて緊張材の下側で梁の下面に当接されるものとすることができる。
また、張り出し板部の下端に設けられた水平部は、間隔を空けて互いに対向するものに限定されず、双方の張り出し板部から曲折された水平部が先端面を突き合わせて溶接接合されたもの、互いに重ね合わされるもの、互いに重ね合わせて溶接接合されるもの等を採用することもできる。
【符号の説明】
【００３８】
１：梁，  ２：被接合梁，  ３：梁受け金物，  ４：ボルト，  ５：緊張材，  ６：ナット，
１１：梁の端面，  １２：梁の下面，  １３：切り欠き，  １４：梁の端部に設けられたスリット，  １５：梁に設けられた横孔，  １６：第１の穴，  １７：第２の穴，  １８：溝，
２１：ピン，  ２２：スクリュー部材，  ２３：ナット，  ２４：プレート，  ２５：袋ナット，
３１：固定基部，  ３２：張り出し板部，  ３３：ボルト孔，  ３４：凸状部，  ３５：張り出し板部に設けられたピン孔，  ３６：張り出し板部に設けられた切り欠き，  ３７：張り出し板部の下方に伸長された部分，  ３８：水平部，
４１：梁，  ４２：被接合梁，  ４３：柱，  ４４：柱にねじ込まれたスクリュー部材，  ４５：被接合梁にねじ込まれたスクリュー部材，  ４６：接合金具，  ４７：接合金具とスクリュー部材とを接合するボルト，  ４８：緊張材を定着するためのスクリュー部材，  ４９：梁受け金物を固定するボルト，
５０：梁受け金物，５１：張り出し板部，  ５２：固定基部，
６１：梁，  ６２：被接合梁，  ６３：梁受け金物，  ６４：固定基部，  ６５：張り出し板部，  ６６：張り出し板部の下方に伸長された部分，  ６７：水平部，  ６８：ボルト，  ６９：緊張材，  ７０：スクリュー部材
【図１】
2017115557.tif 000003
【図２】
2017115557.tif 000004
【図３】
2017115557.tif 000005
【図４】
2017115557.tif 000006
【図５】
2017115557.tif 000007
【図６】
2017115557.tif 000008
【図７】
2017115557.tif 000009
【図８】
2017115557.tif 000010
【図９】
2017115557.tif 000011